(57)【要約】メディアコンテンツ画面に対応する1つ以上のタブを、機器のディスプレイ上に提示することと、1つ以上のタブのうち所定のものの選択時に、1つ以上のメディアコンテンツアイテムをメディアコンテンツ画面に提示することとを含む、方法。ここで前記1つ以上のメディアコンテンツアイテムは、スクロール可能な行および列のうちの少なくとも1つにおいて提示される。前記方法はさらに、メディアコンテンツアイテムのうちのいくつかに、限定されたコンテンツ情報を含めることと、他のメディアコンテンツアイテムに中間コンテンツ情報を含めることと、少なくとも中間コンテンツ情報を、コンテンツアイテムのうちの選択されたものに対応する詳細なコンテンツ情報に変更することとを含む。 【選択図】図１
2011504620.tif 000002
【特許請求の範囲】
【請求項１】
メディアコンテンツ画面に対応する1つ以上のタブを、機器のディスプレイ上に提示することと、
前記1つ以上のタブのうち所定のものの選択に応じて、1つ以上のメディアコンテンツアイテムをメディアコンテンツ画面に提示することであって、前記1つ以上のメディアコンテンツアイテムは、スクロール可能な行および列のうちの少なくとも1つに提示されることと、
前記メディアコンテンツアイテムのうちのいくつかに、限定されたコンテンツ情報を含めること、および他のメディアコンテンツアイテムに中間コンテンツ情報を含めることと、
少なくとも前記中間コンテンツ情報を、前記コンテンツアイテムのうちの選択されたものに対応する詳細なコンテンツ情報に変更することと、
を含む、方法。
【請求項２】
それぞれのコンテンツアイテムの、前記限定されたコンテンツ情報を、前記それぞれのコンテンツアイテムに位置に応じて、前記中間コンテンツ情報に変更することをさらに含む、請求項1に記載の方法。
【請求項３】
前記コンテンツアイテムは、アーチスト、ジャンル、カバーアート、前記コンテンツアイテムに関連する情報へのリンク、お勧めコンテンツへのリンクのうちの少なくとも1つを示す情報を含む、請求項1に記載の方法。
【請求項４】
前記行および列の各々は、個々にスクロール可能であるか、または一体的にスクロール可能である、請求項1に記載の方法。
【請求項５】
前記メディアコンテンツ画面の外観を、該メディアコンテンツ画面が提示されるディスプレイのサイズに適合させることをさらに含む、請求項1に記載の方法。
【請求項６】
前記詳細なコンテンツ情報は、前記メディアコンテンツアイテムを購入するためのオプションを少なくとも含む情報である、請求項1に記載の方法。
【請求項７】
デバイスのメモリにおいて具現化されるコンピュータプログラム製品であって、請求項1に記載の方法を実行するために、コンピュータ可読媒体において具現化されるコンピュータ可読プログラムコードを備える、コンピュータプログラム製品。
【請求項８】
前記限定されたコンテンツ情報が、前記コンテンツアイテムの位置に応じて、前記中間コンテンツ情報に変更されるように、前記メディアコンテンツアイテムを修正するための、コンピュータ可読媒体に具現化されるコンピュータ可読プログラムコードをさらに備え、前記詳細なコンテンツ情報は、前記メディアコンテンツアイテムを購入するためのオプションを少なくとも含む、請求項7に記載のコンピュータプログラム製品。
【請求項９】
前記行および列の各々は、個々にスクロール可能であるか、または一体的にスクロール可能である、請求項7に記載のコンピュータプログラム製品。
【請求項１０】
前記メディアコンテンツ画面の外観を、該メディアコンテンツ画面が提示されるディスプレイのサイズに適合させるための、コンピュータ可読媒体に具現化されるコンピュータ可読プログラムコードをさらに備える、請求項7に記載のコンピュータプログラム製品。
【請求項１１】
プロセッサと、前記プロセッサに接続されるディスプレイとを備える装置であって、前記プロセッサは、
メディアコンテンツ画面に対応する1つ以上のタブを、前記ディスプレイ上に提示し、
前記1つ以上のタブのうちのそれぞれのものの選択に応じて、1つ以上のメディアコンテンツアイテムをメディアコンテンツ画面に提示し、ただし前記1つ以上のメディアコンテンツアイテムは、スクロール可能な行および列に提示され、前記行および列のうちの少なくとも1つは、個々にスクロール可能であるか、または一体的にスクロール可能であり、
前記メディアコンテンツアイテムのうちのいくつかに、限定されたコンテンツ情報を含め、他のメディアコンテンツアイテムに中間コンテンツ情報を含め、
少なくとも前記中間コンテンツ情報を、前記コンテンツアイテムのうちの選択されたものに対応する詳細なコンテンツ情報に変更する、
ように構成される、装置。
【請求項１２】
前記プロセッサは、前記限定されたコンテンツ情報が、前記コンテンツアイテムの位置に応じて、前記中間コンテンツ情報に変更されるように、前記メディアコンテンツアイテムを修正するようにさらに構成される、請求項11に記載の装置。
【請求項１３】
前記コンテンツアイテムは、アーチスト、ジャンル、カバーアート、前記コンテンツアイテムに関連する情報へのリンク、お勧めコンテンツへのリンクのうちの少なくとも1つを示す情報を含む、請求項11に記載の装置。
【請求項１４】
前記プロセッサは、前記メディアコンテンツ画面の外観を、該メディアコンテンツ画面が提示されるディスプレイのサイズに適合させるようにさらに構成される、請求項11に記載の装置。
【請求項１５】
前記詳細なコンテンツ情報は、前記メディアコンテンツアイテムを購入するためのオプションを少なくとも含む情報である、請求項11に記載の装置。
【請求項１６】
メディアコンテンツアイテムの選択を生じさせうるように構成される入力装置と、前記メディアコンテンツアイテムを1つ以上のメディアコンテンツ画面に表示しうるように構成されるディスプレイと、前記入力装置およびディスプレイに接続されるプロセッサとを含む通信機器を備えるシステムであって、前記プロセッサが、
メディアコンテンツ画面に対応する1つ以上のタブを、前記ディスプレイ上に提示し、
前記1つ以上のタブのうちのそれぞれのものの選択に応じて、1つ以上のメディアコンテンツアイテムをメディアコンテンツ画面に提示し、前記1つ以上のメディアコンテンツアイテムは、スクロール可能な行および列に提示され、前記行および列のうちの少なくとも1つは、個々にスクロール可能であるか、または一体的にスクロール可能であり、
前記メディアコンテンツアイテムのうちのいくつかに、限定されたコンテンツ情報を含め、他のメディアコンテンツアイテムに中間コンテンツ情報を含め、
少なくとも前記中間コンテンツ情報を、前記コンテンツアイテムのうちの選択されたものに対応する詳細なコンテンツ情報に変更する、
ように構成される、システム。
【請求項１７】
コンテンツアイテム情報を前記通信機器に提供するための、前記通信機器と通信する遠隔サーバをさらに備え、前記コンテンツアイテム情報は、アルバムのカバーアート、アーチスト情報、アルバム／曲情報、および購入情報のうちの1つ以上を含む、請求項16に記載のシステム。
【請求項１８】
前記通信機器および前記遠隔サーバのうちの1つ以上は、ユーザの購入／閲覧履歴を記録し、かつ前記ユーザの購入／閲覧履歴に基づいて、広告または試聴／購入オプションを提示しうるように構成される、請求項16に記載のシステム。
【請求項１９】
前記通信機器および前記遠隔サーバのうちの1つ以上は、ユーザが前記メディアコンテンツ画面に戻る場合に、記録された配置に従って前記メディアコンテンツアイテムが提示されるように、メディアコンテンツ画面におけるメディアコンテンツアイテムの配置を記録しうるように構成される。請求項16に記載のシステム。
【請求項２０】
メディアコンテンツアイテムの選択を生じさせうるように構成される入力装置と、
前記メディアコンテンツアイテムを1つ以上のメディアコンテンツ画面に表示しうるように構成されるディスプレイと、
前記入力装置およびディスプレイに接続されるプロセッサと、
を備えるユーザインターフェースであって、
前記プロセッサは、
メディアコンテンツ画面に対応する1つ以上のタブを、前記ディスプレイ上に提示し、
前記1つ以上のタブのうちのそれぞれのものの選択時に、1つ以上のメディアコンテンツアイテムをメディアコンテンツ画面に提示し、前記1つ以上のメディアコンテンツアイテムは、スクロール可能な行および列に提示され、前記行および列のうちの少なくとも1つは、個々にスクロール可能であるか、または一体的にスクロール可能であり、
前記メディアコンテンツアイテムのうちのいくつかに、限定されたコンテンツ情報を含め、他のメディアコンテンツアイテムに中間コンテンツ情報を含め、
少なくとも前記中間コンテンツ情報を、前記コンテンツアイテムのうちの選択されたものに対応する詳細なコンテンツ情報に変更する、
ように構成される、
ユーザインターフェース。
【請求項２１】
前記プロセッサは、前記限定されたコンテンツ情報が、前記コンテンツアイテムの位置に応じて、前記中間コンテンツ情報に変更されるように、前記メディアコンテンツアイテムを修正するようにさらに構成される、請求項20に記載のユーザインターフェース。
【請求項２２】
前記コンテンツアイテムは、アーチスト、ジャンル、カバーアート、前記コンテンツアイテムに関連する情報へのリンク、お勧めコンテンツへのリンクのうちの少なくとも1つを示す情報を含む、請求項20に記載のユーザインターフェース。
【請求項２３】
前記プロセッサは、前記メディアコンテンツ画面の外観を、該メディアコンテンツ画面が提示されるディスプレイのサイズに適合させるようにさらに構成される、請求項20に記載のユーザインターフェース。
【請求項２４】
前記詳細なコンテンツ情報は、前記メディアコンテンツアイテムを購入するためのオプションを少なくとも含む情報である、請求項20に記載のユーザインターフェース。
【発明の詳細な説明】
【技術分野】
【０００１】
開示された実施形態は、一般的に、ユーザインターフェースに関し、より具体的には、メディアコンテンツを提示するためのインターフェースに関する。
【背景技術】
【０００２】
一般的に、電子機器のユーザが、例えば、曲等のメディアコンテンツを探索または閲覧する場合、様々な曲やアルバムに関する大量の情報がユーザに提示される。例えば、メディアコンテンツアイテムを検索するユーザは、ウェブページ等の汎用ホームページを調べなければならず、また、ホームページとリンクしているジャンルのページを調べなければならない場合がある。ユーザが所望のメディアコンテンツアイテムを発見できるまで、ユーザは、種々のメニューやディスプレイ画面を操作しなければならない可能性がある。
【０００３】
大量のメディアカタログからメディアコンテンツを迅速かつ容易にアクセスおよび発見できれば便利である。
【発明の概要】
【０００４】
一側面では、開示された実施形態は、方法を対象とする。一実施形態では、前記方法は、メディアコンテンツ画面に対応する1つ以上のタブを、機器のディスプレイ上に提示することと、前記1つ以上のタブのうち所定のものの選択時に、1つ以上のメディアコンテンツアイテムをメディアコンテンツ画面に提示することであって、前記1つ以上のメディアコンテンツアイテムは、スクロール可能な行および列のうちの少なくとも1つに提示されることと、前記メディアコンテンツアイテムのうちのいくつかに、限定されたコンテンツ情報を含めること、および他のメディアコンテンツアイテムに中間コンテンツ情報を含めることと、少なくとも前記中間コンテンツ情報を、前記コンテンツアイテムのうちの選択されたものに対応する詳細なコンテンツ情報に変更することとを含む。
【０００５】
別の側面では、前記開示された実施形態は、装置を対象とする。一実施形態では、前記装置は、プロセッサと、前記プロセッサに接続されるディスプレイとを含み、前記プロセッサが、
メディアコンテンツ画面に対応する1つ以上のタブを、前記ディスプレイ上に提示し、前記1つ以上のタブのうちのそれぞれのものの選択時に、1つ以上のメディアコンテンツアイテムをメディアコンテンツ画面に提示し、前記1つ以上のメディアコンテンツアイテムは、スクロール可能な行および列に提示され、前記行および列のうちの少なくとも1つは、個々にスクロール可能であるか、または一体的にスクロール可能であり、前記メディアコンテンツアイテムのうちのいくつかに、限定されたコンテンツ情報を含め、他のメディアコンテンツアイテムに中間コンテンツ情報を含め、少なくとも前記中間コンテンツ情報を、前記コンテンツアイテムのうちの選択されたものに対応する詳細なコンテンツ情報に変更しうるように構成される。
【０００６】
さらに別の側面では、前記開示された実施形態は、システムを対象とする。一実施形態では、前記システムは、メディアコンテンツアイテムの選択を生じさせうるように構成される入力装置と、前記メディアコンテンツアイテムを1つ以上のメディアコンテンツ画面に表示しうるように構成されるディスプレイと、前記入力装置およびディスプレイに接続されるプロセッサとを含む通信機器を含む。前記プロセッサは、メディアコンテンツ画面に対応する1つ以上のタブを、前記ディスプレイ上に提示し、前記1つ以上のタブのうちのそれぞれのものの選択時に、1つ以上のメディアコンテンツアイテムをメディアコンテンツ画面に提示し、前記1つ以上のメディアコンテンツアイテムは、スクロール可能な行および列に提示され、前記行および列のうちの少なくとも1つは、個々にスクロール可能であるか、または一体的にスクロール可能であり、前記メディアコンテンツアイテムのうちのいくつかに、限定されたコンテンツ情報を含め、他のメディアコンテンツアイテムに中間コンテンツ情報を含め、少なくとも前記中間コンテンツ情報を、前記コンテンツアイテムのうちの選択されたものに対応する詳細なコンテンツ情報に変更しうるように構成される。
【０００７】
別の側面では、前記開示された実施形態は、ユーザインターフェースを対象とする。前記ユーザインターフェースは、メディアコンテンツアイテムの選択を生じさせうるように構成される入力装置と、前記メディアコンテンツアイテムを1つ以上のメディアコンテンツ画面に表示しうるように構成されるディスプレイと、前記入力装置およびディスプレイに接続されるプロセッサとを含み、前記プロセッサは、メディアコンテンツ画面に対応する1つ以上のタブを前記ディスプレイ上に提示し、前記1つ以上のタブのうちのそれぞれのものの選択時に、1つ以上のメディアコンテンツアイテムをメディアコンテンツ画面に提示し、前記1つ以上のメディアコンテンツアイテムは、スクロール可能な行および列に提示され、前記行および列のうちの少なくとも1つは、個々にスクロール可能であるか、または一体的にスクロール可能であり、前記メディアコンテンツアイテムのうちのいくつかに、限定されたコンテンツ情報を含め、他のメディアコンテンツアイテムに中間コンテンツ情報を含め、少なくとも前記中間コンテンツ情報を、前記コンテンツアイテムのうちの選択されたものに対応する詳細なコンテンツ情報に変更しうるように構成される。
【図面の簡単な説明】
【０００８】
添付の図面を併用して、実施形態の前述の側面および他の特徴について、以下に説明する。
【０００９】
【図１】開示された実施形態の側面が適用され得るシステムのブロック図である。
【００１０】
【図２】開示された実施形態の側面に従うフロー図である。
【００１１】
【図３】開示された実施形態に従うユーザインターフェースの例示的スクリーンショットを示す。
【図３Ａ】開示された実施形態に従うユーザインターフェースの例示的スクリーンショットを示す。
【図４】開示された実施形態に従うユーザインターフェースの例示的スクリーンショットを示す。
【図５】開示された実施形態に従うユーザインターフェースの例示的スクリーンショットを示す。
【図６】開示された実施形態に従うユーザインターフェースの例示的スクリーンショットを示す。
【図７】開示された実施形態に従うユーザインターフェースの例示的スクリーンショットを示す。
【図８】開示された実施形態に従うユーザインターフェースの例示的スクリーンショットを示す。
【００１２】
【図９Ａ】開示された実施形態の側面の実用化に使用可能である機器の例を示す。
【図９Ｂ】開示された実施形態の側面の実用化に使用可能である機器の例を示す。
【００１３】
【図１０】開示された実施形態の側面の実用化に使用され得る特徴を組み込む例示的システムのブロック図である。
【００１４】
【図１１】図9Aおよび図9Bの例示的機器が使用され得る例示的システムの一般的なアーキテクチャを図示するブロック図である。
【発明を実施するための形態】
【００１５】
図1は、開示された実施形態の側面が適用可能なシステム100の一実施形態を図示する。図示および後述する実施形態を参照して、開示された実施形態の側面を説明するが、これらの側面を多数の代替形式で具現化してもよいことを理解されたい。加えて、任意の適切なサイズ、形状、または種類の要素を使用してもよい。
【００１６】
一般的に、開示された実施形態は、図1に示すシステム100等の機器またはシステムのユーザが、大量のメディアカタログからメディアコンテンツを迅速かつ容易にアクセスおよび発見することを可能にする。開示された実施形態によると、マルチメディアコンテンツのユーザインターフェースまたはメディアメニュー125が、システム100のユーザに提示される。メディアメニュー125は、ユーザに選択的に提示可能な任意の適切なメディア情報画面または「壁（ウォール）」を含んでもよい。メディア情報画面は、メディア情報画面を識別するためのタブまたは任意の他の適切なインジケータによって選択可能である。例えば、各画面は対応するタブを有してもよく、タブが選択されると、対応する画面がユーザに提示される。タブのコンテンツ、色、書体、または任意の他の適切な特徴は、例えば、任意の適切な設定メニューによって、ユーザ設定可能であってもよい。メディアメニュー125は、タブコンテンツのプレビュー（例えば、タブに対応する画面のプレビュー）を提示するように構成されてもよい。
【００１７】
一側面では、メディアメニュー125は、音楽のカルーセル（carousel）を含む音楽画面を含む。音楽のカルーセルは、例えば、システム100のディスプレイ114をスクロールする。音楽のカルーセルは、連続的カルーセルであってもよく（例えば、終点の無い外観を有する）、または音楽のカルーセルは、規定の終点または停止点を有してもよい。一実施形態では、カルーセルは、カテゴリにおける最終メディアコンテンツアイテムに到達した場合にスクロールを停止してもよい。カルーセルは、ユーザが音楽ストアで、例えば、コンパクトディスク（compact disk; CD）を試聴するとともに、関連情報（パックショット；packshot）をユーザに提示することをシミュレートするように構成されてもよい。パックショットには、CDまたはシングル（例えば、アルバムの1曲）カバーの画像、アーチスト名、製品タイトル、および購入価格が含まれてもよいが、これらに限定されない。他の実施形態では、パックショットは、任意の適切な情報を含んでもよい。開示された実施形態は、本明細書において音楽に関連して説明されるが、本明細書に説明する方式で、任意の適切なメディアを提示してもよいことに留意されたい。例えば、開示された実施形態は、映像メディア、ストリーミングメディア、ダウンロード可能なメディア、静止画像、着信音、壁紙、およびスクリーンセーバを含むがこれらに限定されないメディアに同等に適用する。メディア情報画面の各々は、例えば、音量制御、再生/停止/一時停止/早送り/巻き戻し制御、およびメディア情報画面に提示されるメディアコンテンツアイテムの操作のための適切なスクロールバーまたはスライダ等の、メディアコンテンツアイテムの提示のための任意の適切な制御を含むことができる。
【００１８】
一実施形態では、図1を参照すると、システムは、入力装置104、出力装置106、ナビゲーションモジュール122、アプリケーションエリア180、および格納/メモリ機器182を含むことができる。本明細書で説明する構成要素は、単に例示的であり、システム100に含められる可能性のある全ての構成要素を説明するようには意図されない。例えば、一実施形態では、システム100は、モバイル通信機器またはインターネットおよびアプリケーション対応機器を備える。一実施形態では、機器のアプリケーションには、データ収集（例えば、画像、映像、および音声）ならびにマルチメディアプレーヤ（例えば、映像および音楽プレーヤ）が含まれてもよいが、これらに限定されない。したがって、他の実施例では、システム100は、アプリケーションコンテンツを監視し、データを収集し、およびこのような機器に通信能力を提供するための他の適切な機器およびアプリケーションを含むことができる。入力装置104および出力装置106は、別々の機器として示されるが、一実施形態では、入力装置104および出力装置106は、一体化されることが可能であり、ユーザインターフェース102の一部であることが可能であり、またユーザインターフェース102を形成することができる。ユーザインターフェース102は、後述するように、マルチメディアコンテンツに関する情報を表示するために使用可能である。
【００１９】
一実施形態では、開示された実施形態のユーザインターフェースは、タッチスクリーンディスプレイデバイスまたは近接スクリーンデバイス（proximity screen device）を含む機器に実装可能である。他の実施例では、本明細書で説明するユーザインターフェースの側面は、情報を表示し、かつアプリケーションまたはシステムコンテンツの選択および起動を可能にする任意の適切な機器上で具現化されてもよい。用語の「選択」および「タッチ」は、一般的に、タッチスクリーンディスプレイに関連して本明細書において説明される。しかしながら、他の実施例では、その用語は、他の入力装置に関連して必要とされるユーザ行為を含むように意図される。例えば、近接スクリーンデバイスに関連して、オブジェクトまたは他の情報を選択するためにユーザは直接接触する必要はない。したがって、上述の用語は、所望の機能を実行するためにユーザがデバイスに近接しさえすればよいことを含むように意図される。例えば、近接スクリーンデバイスと関連する用語の「タッチ」は、必ずしも直接接触を必要としないが、近接デバイスを起動する近傍接触または接近接触を備えてもよい。
【００２０】
同様に、対象機器の範囲は、単一のタッチ機器または接触機器に限定されない。また、1つ以上の指または他のポインティングデバイスによる接触が、画面上および画面周辺で操作可能であるマルチタッチ機器も、開示された実施形態によって包含されるように意図される。また、非タッチ機器も、開示された実施形態によって包含されるように意図される。非タッチ機器には、タッチスクリーンまたは近接スクリーンを含まない機器であって、ディスプレイ上のナビゲーションが、例えばシステムのキー110またはシステムの音声認識機能を介する音声コマンドによって実行される機器が含まれるが、これらに限定されない。
【００２１】
次に、図2および図3を参照すると、開示された実施形態に従う、プロセスの一例を図示するフローチャートと、メディアメニュー125の例示的スクリーンショットとが示される。一実施形態では、メディアメニューは、システムのメモリ182に格納されてもよいし、リモートの記憶装置に格納されてもよい。他の実施形態では、メディアメニューのある部分はメモリ182に格納され、他の部分はリモートの記憶装置から読み出されるようにされてもよい。
【００２２】
図3にから判るように、メディアメニュー125は、任意の適切な方式でシステム100のユーザに提示される（図2、ブロック200）。例えば、ユーザは、メディアメニューにリンクするアイコンから、またはウェブページもしくは遠隔サーバにアクセスすることによって、システムの別のメニュー124を介して、ユーザへ提示するためのメディアメニュー125を起動してもよい。本例では、メディアメニュー125は、例えば、画面300等のメディアコンテンツ画面に対応する6つのタブまたはウォールインジケータ（壁インジケータ）301〜306を含む。他の例では、メディアメニュー125は、6を上回るタブまたは6未満のタブを含んでもよい。ユーザは、対応するメディアコンテンツ画面が提示されるように、画面タブ301〜306のうちの1つを選択またはタッチしてもよい（図2、ブロック205）。
【００２３】
選択されたタブ303の外観は、タブが選択されていることをユーザに示すために、任意の適切な方式で変更してもよい（図2、ブロック210）。本例では、タブ303は、色を変更し、矢印310aは、非アクティブ配向（矢印310参照）からアクティブ配向に回転する。例えば、タブに対応する画面が非アクティブまたは閉じている場合、タブにおける矢印は、ディスプレイ114の下部に向かう方向を指す。タブに対応する画面がアクティブまたは開いている場合、タブにおける矢印は、ディスプレイ114の側面に向かう方向を指す。他の例では、タブの矢印は、アクティブ画面および非アクティブ画面を示すために、任意の適切な方向を指してもよい。さらに他の例では、アクティブタブ303の外観は、タブがアニメーション化、強調、縁取りされるように、および/またはインジケータの書体や色が変更されるように、変更してもよい。
【００２４】
図3に示す例示的スクリーンショットでは、「ようこそ画面」300を提示するように、「ようこそ」画面タブ303が選択される（図2、ブロック215）。タブ301〜303が選択されると、残りのタブは、選択されたタブの位置に応じて、メディア画面が開かれる際に、ディスプレイ上をスライド、スクロール、または移動してもよい。例えば、図3Aにおいて分かるように、選択前に、メディアインジケータ301〜306は、インジケータ301〜303に関連して示す方式と類似して、相互に隣接してもよい。「ようこそ画面」タブ303の選択時に、タブ304〜306は、インジケータ301〜303から切り離され、「ようこそ画面」300がタブ303と304との間に提示されるように、矢印Aの方向に画面をスライド、移動、またはスクロールしてもよい。他の実施形態では、「ようこそ画面」300は、例えば、インジケータ304〜306を覆う等の任意の適切な方式で提示されてもよい。さらに他の実施形態では、「ようこそ画面」300は、インジケータ301〜306が画面300によって覆われるように、ディスプレイ上に提示されてもよい。別の例では、「ようこそ画面」300は、その対応するインジケータ303とともに提示されてもよいが、残りのインジケータ301、302、304〜306は、画面から隠されるか、覆われるか、または除去される。
【００２５】
「ようこそ画面」300は、タブ301、302、304〜306に提示されるメディアコンテンツアイテムの種類、メディア提供者やメディアコンテンツアイテムに関する情報、広告、画像、テキスト、映像、ならびに音声クリップを含むがこれらに限定されない任意の適切な情報を含んでもよい。図3に示す例では、選択可能なリンクまたはアイコン315がユーザに提示されてもよい。ここで、選択時に、アイコン315によって、メディアコンテンツアイテムの探索に関する追加の情報が提示される。他の例では、アイコン315によって、広告情報、広告主ウェブページ、アーチストウェブページおよび/もしくは情報、または任意の他の適切な情報もしくはデータが提示されてもよい。
【００２６】
次に図4を参照すると、開示された実施形態に従う別の例示的スクリーンショットが示されている。図4では、「ようこそ画面」300に関連して上述する方式に実質的に類似の方式で、「今週のアーチスト画面」400が提示されるように、タブ305が選択される。「今週のアーチスト画面」400が開かれる際、「ようこそ画面」300が、上述の方式とは反対の方式で閉じられてもよいことに留意されたい（図2、ブロック220）。例えば、今週のアーチストタブ305が選択される場合、タブ304、305は、矢印Aの方向に、「ようこそ画面」タブ303側に移動、スクロール、またはスライドし、ディスプレイ114から「ようこそ画面」を除去するか、または隠してもよい。上述のようにインジケータ304〜306が「ようこそ画面」インジケータ側にスライドするように、「ようこそ画面」タブ303を選択することによって、「ようこそ画面」300を閉じてもよいことに留意されたい。
【００２７】
図4に示す例示的スクリーンショットでは、「今週のアーチスト画面」400は、所定のアーチストに関する任意の適切な情報を含んでもよい。本例では、画面400は、アーチスト名、アーチストに関する情報アーチスト415、1つ以上の曲/アルバムインジケータ410、411、および任意の適切な追加の情報420を含む。1つ以上の曲/アルバムインジケータ410、411の各々は、曲/アルバムのカバーの画像（すなわち、アルバムのカバーアート）や曲/アルバムの説明（例えば、アーチストおよび曲/アルバム名）を含んでもよい。他の例では、曲/アルバムインジケータは、任意の適切な情報を含んでもよい。追加の情報420は、今週のアーチストの1つ以上の写真、曲の歌詞、音楽映像、広告、または任意の他の適切な情報であってもよい。一例では、アーチスト情報415、曲/アルバムインジケータ410、411、または追加の情報420のうちの1つ以上は、追加の情報を提示させ得る選択可能なリンクであってもよい。例えば、曲/アルバムインジケータ410の選択によって、曲/アルバムを購入するための情報が提示されてもよい。他の実施形態では、曲/アルバムインジケータの選択によって、システム100のスピーカによって1つ以上の曲が提示されてもよい。
【００２８】
1つ以上の曲/アルバムインジケータ410、411がユーザによってスクロールされてもよいことに留意されたい。例えば、ユーザは、ポインティングデバイスが移動する方向にインジケータがスクロールされるように、インジケータ410、411の上を矢印Aの方向にポインティングデバイスを移動してもよい。他の実施形態では、システム100の任意の適切なキー110またはポインティングデバイス（例えば、マウス、トラックボール等）を使用して、曲/アルバムインジケータ410、411をスクロールしてもよい。
【００２９】
次に、図5を参照すると、例示的な「今週のアルバム画面」500の例示的スクリーンショットが示される。「今週のアルバム」タブ301が、選択されてもよく、「今週のアルバム画面」が、上述と類似の方式で提示されてもよい。「今週のアルバム画面」500は、所定のアルバムに関する任意の適切な情報を含んでもよい。例えば、画面500は、そのアーチスト名、アーチストに関する情報510、アルバムに関する情報520、およびアルバムからのトラックのリスト530を含んでもよい。アルバム情報520は、図4に関連して上述した情報410、411に実質的に類似してもよい。アーチスト情報510やアルバム情報520は、アルバムを購入するオプション等の追加のオプションがユーザに提示されるように、上述のように選択可能であってもよい。図1のメディアメニュー125が、購入を処理するために、遠隔サーバまたは店頭に接続されてもよいことに留意されたい。また、遠隔サーバは、メディアメニューに表示するために、パックショットおよび本明細書で説明する他の情報を提供するように構成されてもよい。
【００３０】
他の例では、画面500の選択機能によって、購入価格、在庫、および発売日を含むがこれらに限定されない詳細な製品情報が提示されてもよい。また、トラックリスト530におけるトラックの各々は、トラックの選択時に、対応する曲の少なくとも一部分がユーザに提示されるように選択可能であってもよい。また、トラックリスト530は、図4の曲/アルバムインジケータ410、411に関連して上述した方式で、矢印Bの方向にリストをユーザがスクロールできるように、スクロール可能なリストであってもよい。また、スクロールバー540は、トラックリスト530をスクロールするためにも提供されてもよい。また、音量制御および音楽プレーヤ制御（例えば、再生、一時停止、停止、早送り、巻き戻し）も、ユーザによる選択および操作のために、画面500に提示されてもよい。
【００３１】
図6を参照すると、例示的なお勧め音楽タブ306の例示的スクリーンショットが示される。本実施形態では、お勧め音楽画面600は、アーチスト名およびアーチストの音楽に関する情報610を含むがこれらに限定されない任意の適切な情報を含んでもよい。本例では、標示されるアーチストは1人だけであるが、任意の適切な数のアーチストが提示されてもよい。また、画面600は、ユーザが、音楽トラックを試聴するか、または曲、アーチスト、および/もしくはアルバムに関する追加の情報を入手できるように、例えば、図4の特徴410、411および図5の特徴510〜540に類似する選択機能も含んでもよい。
【００３２】
一実施形態では、画面600に提示されるお勧め音楽は、例えば、最も多くダウンロードまたは購入された曲/アルバム、音楽レビュー、最も多くダウンロードまたは購入されたアーチスに基づいて、提供者によって選択されてもよい。別の実施形態では、図1のメディアメニュー125は、システム100の内部または外部にある任意の適切なメモリにおいて、ユーザの購入履歴と、メディアメニュー125の使用中にユーザが閲覧または選択したアーチスト、曲、アルバムとを追跡および格納するように構成されてもよい。例えば、メディアメニュー125は、画面600において、ユーザの購入パターンや閲覧履歴に基づいてユーザが選択するために、アーチストや曲、アルバム、音楽ジャンルを提示してもよい。さらに他の実施形態では、画面600に提示されるお勧め音楽は、任意の適切な方式で判断されてもよい。別の例では、メディアメニュー125は、お勧め音楽画面600において表示するために、例えば、音楽ジャンルまたはアーチストを特定するためのユーザ設定可能な設定を有してもよい。
【００３３】
一実施形態では、ユーザの履歴は、メディアメニュー125に広告を提示するために、上述のように追跡されてもよい。例えば、ユーザプロフィールが、ユーザの履歴に基づいてメディアメニュー125によって作成されてもよく、ユーザの関心に対応する広告が、ユーザに提示されてもよい。別の実施形態では、広告は、タブ301〜306のうちの1つ以上が、それぞれのタブのコンテンツに関連する広告を含むように、タブに固有であってもよい。非限定例として、「今週のアルバム」タブ301は、アルバムのアーチスト、アルバムの制作者もしくはレコード会社、アルバムに関する類似の種類のものを含むがこれらに限定されない、今週のアルバムに関する広告を含んでもよい。他の実施形態では、タブ固有の広告は、任意の適切な広告情報を含むことができる。
【００３４】
さらに他の実施形態では、タブに広告を表示するための基準は、タブ301〜306のうちの1つ以上について同一または異なることができる。以下は、様々な基準に基づいて様々なタブ301〜306に広告を表示可能にする方法に関する非限定例である。広告番号1は、ユーザアカウントに関係なく、タブ301および303に表示されてもよく、タブコンテンツに基づいてタブ305に表示されてもよい。広告番号2は、ユーザの人口統計学に基づいてタブ303に表示されてもよく、ユーザの過去の選択（すなわち、履歴）に基づいてタブ304に表示されてもよく、ユーザが、例えば、所定の音楽トラックを試聴中にタブ305に表示されてもよい。広告番号3は、遠隔メディアサーバからシステム100に情報が送信される場合にタブ304に示されてもよい。広告を表示するための他の基準には、広告のサイズや位置、広告が提示される機器の種類が含まれるが、これらに限定されない。例えば、デスクトップコンピュータに上に示される広告、広告提示、または広告形態は、モバイル通信機器に示される広告とは異なり得る。他の実施形態では、広告を表示するための任意の適切な基準を使用してもよい。広告は、所定の期間（例えば、時間、日、週、月等）に表示されてもよい。また、広告は、時々変更することができる。一実施形態では、いくつかのタブは、広告を含んでもよいが、他のタブは、広告を含まなくてもよい。
【００３５】
非限定例として、一実施形態では、タブに表示される広告は、広告が選択されること（例えば、広告をクリックまたはタッチすることによって）を広告サーバに標示するために、そのメタデータにおいて、統一資源位置指定（uniformまたはuniversal resource locator; URL）を含む。広告サーバは、本明細書に説明する遠隔サーバに類似してもよく、広告主のウェブページにユーザを提供または誘導してもよい。他の実施形態では、広告サーバは、タブにおける広告の起動時に、任意の適切な情報をユーザに提供してもよい。広告サーバは、例えば、各広告の起動回数、ユーザがどの広告を起動させたか、およびタブ301〜306のどれに広告が配置されたかを追跡または記録してもよい。他の実施形態では、広告サーバは、広告に関する任意の適切な情報を記録してもよい。広告サーバは、プロフィールまたは広告の起動履歴を収集および管理するように構成されてもよく、収集された情報に基づいて、新しい広告を提案してもよい。新しい広告は、所定のタブにおける位置付けまたは1つ以上のユーザアカウントへの位置付けのために提案されてもよい。また、グループ広告プロフィールも、ユーザのグループの広告履歴に基づいて、ユーザのグループに広告を提案するために広告サーバによって作成されてもよい。広告サーバは、各広告が視認された回数、広告が入手可能もしくは視認可能である時間枠、または任意の他の適切な請求基準に基づいて、広告主に支払い要求または請求するように構成されてもよい。
【００３６】
次に、図7を参照すると、「音楽ウォール画面」700の例示的スクリーンショットが示される。一実施形態では、「音楽ウォール画面」700は、全音楽ジャンルからの新しいメディアコンテンツやベストセラーの混合を含むことができる。他の実施形態では、「音楽ウォール画面」700は、画面700がカスタマイズされた見た目を有するように、1つ以上のジャンルからのメディアコンテンツを含むことができる。メディアメニュー125は、例えば、ホームページ、「ようこそ画面」300、または任意の他の適切なユーザにより設定可能な設定もしくはオプションによって、「音楽ウォール画面」700にどのメディアコンテンツアイテムを提示するかをユーザが特定することを可能にするように構成されてもよい（図2、ブロック225）。
【００３７】
本例では、画面700は、パックショットの行730〜731および列701〜707を含む。任意の適切な数の行および列が画面700に提示されてもよいことに留意されたい。パックショットは、任意の適切な方式で画面700において整理またはリスト化されてもよい。例えば、一実施形態では、パックショットは、ジャンル順によって、アーチスト名によるアルファベット順によって配置されてもよい。他の実施形態では、パックショットは、発売日によって整理されてもよい。
【００３８】
本例では、画面は、2つの1次パックショット列703、704を含む。残りの列701、702、705〜707は、2次列を指す。他の実施形態では、画面は、任意の適切な数の1次列および2次列を含んでもよい。開示された実施形態は、1次列および2次列に関連して説明されるが、開示された実施形態が、1次行および2次行に同等に適用することに留意されたい。2次列のパックショットは、最小量の情報をユーザに示す。例えば、2次列のパックショットは、アルバムのカバーの画像（例えば、パックショットのコンテンツをユーザに示すのに十分な情報）を含むように構成されてもよい。他の実施形態では、2次パックショットは、任意の適切な情報を含んでもよい。1次パックショット列703、704の1次パックショット710〜715は、2次パックショットが提示する情報よりも多くの情報を含む。例えば、1次パックショット710〜715は、アルバムのカバーの画像、アーチスト名、アルバムもしくは曲のタイトル、購入価格、任意の他の適切な情報を含んでもよい。
【００３９】
ユーザは、ポインティングデバイスが移動する方向にパックショットがスクロールされるように、列701〜707および行730〜732の上で矢印AやBの方向にポインティングデバイスを移動することによって、「音楽ウォール画面」700を操作することができる（図2、ブロック230）。他の実施形態では、システム100の任意の適切なキー110またはポインティングデバイス（例えば、マウス、トラックボール等）を使用して、パックショットをスクロールしてもよい。一実施形態では、パックショットは、一体的に移動してもよい（例えば、行や列が相互に対して固定される）。他の実施形態では、各個々の行730〜732は、他の行730〜732に対して移動可能であってもよい。例えば、行730は、矢印Aの方向に移動してもよいが、行731、732は、静止したままであってもよい。同様に、各個々の列701〜707は、他の列に対して矢印Bの方向に移動可能であってもよい。例えば、列703は、矢印Bの方向に移動してもよいが、他の列は静止したままであってもよい。一実施形態では、行のみがスクロール可能である。別の実施形態では、列のみがスクロール可能である。さらに他の実施形態では、行と列の両方がスクロール可能である。
【００４０】
開示された実施形態の他の側面では、行および列は、パックショットを選択することによってスクロールされてもよい。例えば、2次パックショット725が選択される場合、行730〜732の列701〜707または行732の701〜707は、例えば、1つ以上のステップによって矢印Aの方向に移動してもよく、この場合、ステップは、一方の列から次の列（例えば、列702から列701または703）へのパックショットの移動である。他の実施形態では、2次パックショットの選択時に、パックショットは、2つ以上のステップを移動してもよい。例えば、パックショット720が選択されると、列は、パックショット720が一次列703、704のうちの1つに提示されるように、矢印Aの方向に移動してもよい。パックショットが、実質的に類似の方式で、矢印Bの方向に移動してもよいことに留意されたい。
【００４１】
本例では、列701〜707が矢印Aの方向にスクロールされ、パックショットが1次列703、704の位置に入ると、上述の追加情報または中間製品情報がユーザに提示される。パックショットは1次列703、704をこのように出入りする（図2、ブロック235）。パックショットが1次列703、704を出ると、上述の最小限の情報だけがユーザに提示され、追加情報は、ユーザの視界から隠れるか、またはディスプレイ114から消去される（図2、ブロック240）。
【００４２】
図8を参照すると、1次列703、704におけるパックショット710〜715のうちの1つが選択されると、前述の追加製品情報は、詳細な製品情報810に変更され、その詳細な製品情報810がユーザに提示される（図2、ブロック245）。例えば、パックショット711が選択される場合、詳細な情報「ボックス」または「ウィンドウ」800が提示される。ボックス800は、パックショットの拡大版、カバーのアート作品、アーチスト名、アルバム／曲タイトル、ジャンル、トラック数、発売日、購入価格、曲クリップまたは追加のアーチスト情報へのリンク（例えば、アーチストウェブサイト等）、ならびにアルバムまたはアルバムからの1つ以上の曲を購入するための少なくともオプションを含むが、これらに限定されない任意の適切な製品情報を含むことができる。他の実施形態では、ボックス800は、ユーザが、欲しい物リスト（例えば、ユーザが購入したいまたはユーザのために購入したアイテムまたは製品のリスト）にアクセスすること、1つ以上の曲、曲全体、アルバム全体のクリップを流すこと、ならびに/あるいは視認中のアイテムに関する曲または他の情報のクリップをダウンロードすることを可能にしうるように構成される機能を含んでもよい。さらに他の実施形態では、1次列または2次列のいずれかのパックショットを選択することによって、お勧めに基づいて別のアイテム（例えば、曲、アルバム、アーチスト）が提示される。お勧めは、他のユーザが購入したおよび/または選択されたアイテムの視認/購入時に視認したアイテムに基づいて選択されるアイテムに類似するものを含むが、これに限定されない任意の適切な基準に基づいてもよい。
【００４３】
開示された実施形態の別の側面によると、メディアメニュー125の外観は、閲覧機器またはシステムに従って適合されてもよい。例えば、閲覧機器が小型ディスプレイを含む場合、メディアメニュー125の外観は、例えば、各タブに1つのアイテムが提示されるように、より単純であってもよく、ユーザが一度に視認するアイテムは1つだけであり、提示されるタブの数は制限される。
【００４４】
開示された実施形態のさらに他の側面では、メディアメニュー125は、最終タブ選択時にユーザが視認したものと、どの機器でユーザがメディアメニュー125を閲覧したかとを「記憶」するように構成されてもよい。本例では、ユーザがメディアメニュー125および以前視認したタブに戻ると、メディアメニュー125は、以前ユーザに提示したように、同一のフォーマットで同一の情報を提示する。
【００４５】
前述のように、任意の適切なタブがメディアメニュー125に提示されてもよい。例えば、図面に示すように、今週の無料トラックタブ302は、無料の音楽をダウンロードまたは入手するための情報やオプションをユーザに提示してもよい。タブに提示される情報の種類は、ユーザにより設定可能であるか、システム100の製造中に事前設定可能であるか、遠隔サーバによって特定可能であるか、またはそれらの組み合わせであることができる。
【００４６】
開示された実施形態の側面が実装可能である機器の例を、図9Aおよび図9Bに関連して図示する。端末またはモバイル通信機器900は、キーパッド910およびディスプレイ920を有してもよい。キーパッド910は、例えば、多機能キー/スクロールキー930、ソフトキー931、932、通話キー933、通話終了キー934、および英数字キー935等の任意の適切なユーザ入力装置を含んでもよい。ディスプレイ920は、例えば、タッチスクリーンディスプレイまたはグラフィカルユーザインターフェース等の任意の適切なディスプレイであってもよい。ディスプレイは、機器900に一体型であってもよく、またはディスプレイは、機器900に接続される周辺ディスプレイであってもよい。例えば、スタイラス、ペン、または単にユーザの指等のポインティングデバイスをディスプレイ920とともに使用してもよい。他の実施例では、任意の適切なポインティングデバイスを使用してもよい。更に別の実施例では、ディスプレイは、従来のディスプレイであってもよい。また、機器900は、例えば、カメラ、スピーカ、接続ポート、または触覚フィードバック機能等の他の適切な機能も含んでもよい。モバイル通信機器は、ユーザ入力を処理し、ディスプレイ920上に情報を表示するために、ディスプレイに接続されるプロセッサ918を有してもよい。メモリ902は、電話帳エントリ、カレンダエントリ、本明細書に説明するメディアメニュー125等の、モバイル通信機器900に関連する任意の適切な情報やアプリケーションを格納するために、プロセッサ918に接続されてもよい。
【００４７】
機器900がモバイル通信機器を備える実施形態では、機器は、図10に示すシステム等の電気通信システムにおける通信に適合可能である。このようなシステムでは、セルラ音声通話、ワールドワイドウェブ/無線アプリケーションプロトコル（worldwide web/wireless application protocol; www/wap）閲覧、セルラ映像通話、データ通話、ファックス伝送、音楽伝送、静止画像伝送、動画像伝送、電子メッセージ伝送、および電子商取引等の種々の電気通信サービスが、モバイル端末1000と、別のモバイル端末1006、固定電話機1032、パーソナルコンピュータ1051、またはインターネットサーバ122等の他の機器との間で実行され得る。モバイル端末1000の様々な実施形態について、および様々な状況において、上述の電気通信サービスのうちのいくつかが、利用可能または利用不可能であってもよいことに留意されたい。開示された実施形態の側面は、この点において、いかなる特定の組のサービスにも限定されない。
【００４８】
モバイル端末1000、1006は、基地局1004、1009を介して無線周波数（radio frequency; RF）リンク1002、1008を通ってモバイル電気通信ネットワーク1010に接続され得る。モバイル電気通信ネットワーク1010は、例えば、モバイル通信のためのグローバルシステム（global system for mobile communications; GSM）、ユニバーサルモバイル電気通信システム（universal mobile telecommunication system; UMTS）、デジタルアドバンスド移動電話サービス（digital advanced mobile phone service; D-AMPS）、符号分割多元接続2000（code division multiple access 2000; CDMA2000）、広帯域符号分割多元接続（wideband code division multiple access; WCDMA）、無線ローカルエリアネットワーク（wireless local area network; WLAN）、自由なモバイルマルチメディアへのアクセス（freedom of mobile multimedia access; FOMA）、および時分割同期符号分割多元接続（time division-synchronous code division multiple access; TD-SCDMA）等の、任意の商用モバイル電気通信規格に準拠し得る。
【００４９】
モバイル電気通信ネットワーク1010は、インターネットまたはその一部であり得る広域ネットワーク1020に動作可能に接続され得る。インターネットサーバ1022は、データストレージ1024を有し、また、インターネットクライアントコンピュータ1026と同様に、広域ネットワーク1020に接続される。サーバ1022は、ワールドワイドウェブ/無線アプリケーションプロトコルのコンテンツをモバイル端末1000に提供可能である、ワールドワイドウェブ/無線アプリケーションプロトコルサーバのホストであり得る。
【００５０】
公衆交換電話網（public switched telephone network; PSTN）1030は、一般的な方式でモバイル電気通信ネットワーク1010に接続され得る。固定電話機1032を含む種々の電話端末は、公衆交換電話網1030に接続され得る。
【００５１】
また、モバイル端末1000は、ローカルリンク1001または1051を介して1つ以上のローカル機器1003または1050にローカルに通信することもできる。ローカルリンク1001または1051は、例えば、Bluetooth、ユニバーサルシリアルバス（Universal Serial Bus; USB）リンク、無線ユニバーサルシリアルバス（Wireless Universal Serial Bus; WUSB）リンク、IEEE 802.11無線ローカルエリアネットワーク（Wireless Local Area Network; WLAN）リンク、RS-232シリアルリンク等の、通信範囲が限られた任意の適切な種類のリンクであり得る。ローカル機器1003は、例えば、ローカルリンク1001上で、測定値をモバイル端末1000に通信可能である種々のセンサであってもよい。上記の例は、制限的であるように意図されず、任意の適切な種類のリンクを利用してもよい。ローカル機器1003は、アンテナであってもよく、マクロウェーブアクセスのためのワールドワイド相互運用（Worldwide Interoperability for Microwave Access; WiMAX, IEEE 802.16）、WiFi（IEEE 802.11x）、または他の通信プロトコルを実装する無線ローカルエリアネットワークを形成する支援設備であってもよい。無線ローカルエリアネットワークは、インターネットに接続され得る。したがって、モバイル端末1000は、モバイル電気通信ネットワーク1010、無線ローカルエリアネットワーク、またはその両方を使用して無線接続するために、マルチ無線能力を有してもよい。また、モバイル電気通信ネットワーク1010との通信は、WiFi、マクロウェーブアクセスのためのワールドワイド相互運用、または任意の他の適切なプロトコルを使用して実装されてもよく、このような通信は、無線スペクトル（例えば、無認可モバイルアクセス（Unlicensed Mobile Access; UMA））の認可部分を利用してもよい。一実施形態では、図1のナビゲーションモジュール122は、図10に関して説明するシステムとインタラクトしうるように構成される通信モジュールを備えてもよい。
【００５２】
モバイル通信機器上で、およびモバイル通信機器とともに実装するように上記実施形態について説明しているが、開示された実施形態が、ディスプレイ、プロセッサ、メモリ、および支援ソフトウェアもしくはハードウェアを組み込む任意の適切な機器上に実用化可能であることを理解されたい。一実施形態では、図1のシステム100は、例えば、図9Bに図示する携帯情報端末（personal digital assistant; PDA）型の機器900'であってもよい。携帯情報端末900'は、キーパッド910'、タッチスクリーンディスプレイ920'、およびタッチスクリーンディスプレイ920'の上で使用するためのポインティングデバイス950を有してもよい。さらに更に別の実施例では、機器は、パーソナルコンピュータ、タブレットコンピュータ、タッチパッド機器、インターネットタブレット、ノート型もしくはデスクトップ型コンピュータ、モバイル端末、携帯電話機/モバイル電話機、マルチメディア機器、パーソナルコミュニケータ、テレビもしくはテレビセットトップボックス、デジタルビデオ/バーサタイルディスク（digital video/versatile disk; DVD）もしくは高解像度プレーヤ、または、例えば、図1に示すディスプレイ114ならびに図9Aのプロセッサ918およびメモリ902等の支援電子機器を含むことが可能な任意の他の適切な機器であってもよい。
【００５３】
また、図1のユーザインターフェース102は、ナビゲーションモジュール122がメニューシステム124を備えていてもよい。ナビゲーションモジュール122は、本明細書で説明する提示コンテンツサンプラ/プレーヤのためのナビゲーション制御を含むがこれらに限定されないシステム100の一定の処理制御を提供する。メニューシステム124は、システム100上で実行するアプリケーションまたはプログラムに関する様々なツールおよびアプリケーションオプションの選択を提供することができる。一実施形態では、メニューシステム124は、例えば、本明細書で説明する設定可能な機能を含むがこれに限定されない任意の適切な設定機能等の、メディアメニュー125に関連するメディアメニュー125または機能の選択を提供してもよい。本明細書で開示する実施形態では、ナビゲーションモジュール122は、例えば、システム100の機能に関する信号、伝送、命令、またはコマンド等の一定の入力を受信する。入力に応じて、ナビゲーションモジュールは、コマンドを解釈し、プロセス制御132に、適宜コマンドを実行するように指示する。
【００５４】
再び図1を参照すると、システム100のディスプレイ114は、前述のように、タッチスクリーンディスプレイ、近接スクリーンデバイス、またはグラフィカルユーザインターフェース等の任意の適切なディスプレイを備えることが可能である。ある実施例では、ディスプレイ114は、システム100に一体型であってもよい。他の実施例では、ディスプレイは、システム100に接続または連結される周辺ディスプレイであってもよい。例えば、スタイラス、ペン、または単にユーザの指等のポインティングデバイスをディスプレイ114とともに使用してもよい。他の実施例では、任意の適切なポインティングデバイスを使用してもよい。更に別の実施例では、ディスプレイは、例えば、典型的には、カラー画像を表示可能である薄膜トランジスタ（thin film transistor; TFT）マトリクス等の任意の背面照明を有する液晶ディスプレイ（liquid crystal display; LCD）から作製される平面ディスプレイ114等の、任意の適切なディスプレイであってもよい。従来の液晶ディスプレイの代わりにタッチスクリーンを使用してもよい。
【００５５】
また、システム100は、例えば、カメラ、スピーカ、接続ポート、または触覚フィードバック機能等の他の適切な機能も含んでもよい。
【００５６】
開示された実施形態は、様々なコンピュータにおいて実行される上述のプロセスステップおよび命令を組み込むソフトウェアおよびコンピュータプログラムを含んでもよい。図11は、本発明の側面の実用化に使用され得る特徴を組み込む典型的な装置1100の一実施形態に関するブロック図である。装置1100は、本明細書に説明するプロセスステップを遂行および実行するためのコンピュータ可読プログラムコード手段を備えてもよい。図示するように、コンピュータシステム1102を、別のコンピュータシステム1104にリンクして、コンピュータ1102および1104が、情報を相互に送受信可能であるようにしてもよい。一実施形態では、コンピュータシステム1102は、ネットワーク1106と通信するように構成されるサーバコンピュータを有してもよい。コンピュータシステム1102および1104は、例えば、モデム、無線、配線接続、または光ファイバーリンクを含む任意の既存の方式で接続されることができる。一般的に、通信チャネル上で、または総合デジタル通信網（integrated services digital network; ISDN）線のダイアルアップ接続を介して典型的に送信されうる通信プロトコルを使用して、コンピュータシステム1102および1104の両方が、情報を利用しうるようにすることができる。コンピュータ1102および1104は、一般的に、機械可読プログラムソースコードを格納するプログラムストレージデバイスを利用するように構成されてもよい。この機械可読プログラムソースコードは、コンピュータ1102および1104に、本明細書に開示する方法ステップを実行させるように構成される。本発明の側面を実装するプログラムストレージデバイスを、光学、磁性、電子技術を利用して、本明細書に開示する手順および方法を実行する機械の構成要素として考案、作製、および使用してもよい。他の実施例では、プログラムストレージデバイスは、コンピュータにより読み取り可能かつ実行可能であるディスケットまたはコンピュータハードドライブ等の磁気媒体を含んでもよい。更に別の実施例では、プログラムストレージデバイスには、光ディスク、読み出し専用メモリ（read-only-memory; ROM）、フレキシブルディスク、ならびに半導体材料およびチップが含まれてもよい。
【００５７】
また、コンピュータシステム1102および1104は、格納されるプログラムを実行するためのマイクロプロセッサを備えても良い。コンピュータ1102は、情報やデータを格納するために、そのプログラムストレージデバイス上にデータストレージデバイス1108を含んでもよい。本発明の側面を組み込むプロセスおよび方法ステップを組み込むコンピュータプログラムまたはソフトウェアは、1つ以上のコンピュータ1102および1104において、そうでなければ従来のプログラムストレージデバイス上に格納されてもよい。一実施形態では、コンピュータ1102および1104は、ユーザインターフェース1110と、本発明の側面がアクセス可能であるディスプレイインターフェース1112とを有してもよい。ユーザインターフェース1110およびディスプレイインターフェース1112は、システムへのクエリおよびコマンドの入力を可能にし、また、そのコマンドおよびクエリの結果を提示可能にするように構成されてもよい。
【００５８】
本明細書で説明する実施形態は、包括的かつインタラクティブな発見および購入機構をユーザに提供する。本明細書で説明する実施形態によって、迅速にメディアコンテンツを購入することが可能になる。メディアコンテンツに関する大量のカタログは、ユーザがメディアコンテンツを容易に探して抽出すること可能にするカルーセル形式でユーザに表示される。メディアコンテンツは、例えば、ユーザの好みや人気のメディアアイテムに応じてコンテンツをカスタマイズするための設定可能なタブにおいて提示される。
【００５９】
本明細書で説明する実施形態が、個々でまたは任意のそれらの組み合わせで使用可能であることに留意されたい。前述の説明が、実施形態の単なる例示であることを理解されたい。当業者により、実施形態を逸脱することなく種々の代替および修正を考案することができる。したがって、本実施形態は、添付の請求項の範囲内にある代替、修正、変形等の全てを含むように意図される。
【図１】
2011504620.tif 000003
【図２】
2011504620.tif 000004
【図３】
2011504620.tif 000005
【図３Ａ】
2011504620.tif 000006
【図４】
2011504620.tif 000007
【図５】
2011504620.tif 000008
【図６】
2011504620.tif 000009
【図７】
2011504620.tif 000010
【図８】
2011504620.tif 000011
【図９Ａ】
2011504620.tif 000012
【図９Ｂ】
2011504620.tif 000013
【図１０】
2011504620.tif 000014
【図１１】
2011504620.tif 000015
【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
機器の動作方法であって、
メディアコンテンツ画面に対応するタブを、前記機器のディスプレイ上に提示することと、
前記タブの選択に応じて、１つ以上のメディアコンテンツアイテムを前記メディアコンテンツ画面に提示することであって、前記１つ以上のメディアコンテンツアイテムは、スクロール可能な行および列のうちの少なくとも１つに提示されることと、
前記メディアコンテンツアイテムのうちのいくつかに、限定されたコンテンツ情報を含めること、および他のメディアコンテンツアイテムに中間コンテンツ情報を含めることと、
前記中間コンテンツ情報を有する前記メディアコンテンツアイテムの選択に応じて、該中間コンテンツ情報を詳細なコンテンツ情報に変更することと、
を含む、方法。
【請求項２】
それぞれのコンテンツアイテムの、前記限定されたコンテンツ情報を、前記それぞれのコンテンツアイテムに位置に応じて、前記中間コンテンツ情報に変更することをさらに含む、請求項１に記載の方法。
【請求項３】
前記コンテンツアイテムは、アーチスト、ジャンル、カバーアート、前記コンテンツアイテムに関連する情報へのリンク、お勧めコンテンツへのリンクのうちの少なくとも１つを示す情報を含む、請求項１または２に記載の方法。
【請求項４】
前記行および列の各々は、個々にスクロール可能であるか、または一体的にスクロール可能である、請求項１から３のいずれかに記載の方法。
【請求項５】
前記メディアコンテンツ画面の外観を、該メディアコンテンツ画面が提示されるディスプレイのサイズに適合させることをさらに含む、請求項１から４のいずれかに記載の方法。
【請求項６】
前記詳細なコンテンツ情報は、前記メディアコンテンツアイテムを購入するためのオプションを少なくとも含む情報である、請求項１から５のいずれかに記載の方法。
【請求項７】
前記限定されたコンテンツ情報は、前記メディアコンテンツアイテムの内容を表す情報であり、前記中間コンテンツ情報は、前記メディアコンテンツアイテムの内容を表す情報を、前記限定されたコンテンツ情報より多く含む情報である、請求項６に記載の方法。
【請求項８】
前記機器のプロセッサで実行されることにより、該機器に、請求項１から７のいずれかに記載の方法を実行させるプログラムコードを含む、コンピュータプログラム。
【請求項９】
プロセッサと、前記プロセッサに接続されるディスプレイとを備える装置であって、前記プロセッサは、
メディアコンテンツ画面に対応するタブを、前記ディスプレイ上に提示し、
前記タブの選択に応じて、１つ以上のメディアコンテンツアイテムを前記メディアコンテンツ画面に提示し、ただし前記１つ以上のメディアコンテンツアイテムは、スクロール可能な行および列に提示され、前記行および列のうちの少なくとも１つは、個々にスクロール可能であるか、または一体的にスクロール可能であり、
前記メディアコンテンツアイテムのうちのいくつかに、限定されたコンテンツ情報を含め、他のメディアコンテンツアイテムに中間コンテンツ情報を含め、
前記中間コンテンツ情報を有する前記メディアコンテンツアイテムの選択に応じて、該中間コンテンツ情報を詳細なコンテンツ情報に変更する、
ように構成される、装置。
【請求項１０】
前記プロセッサは、前記限定されたコンテンツ情報が、前記コンテンツアイテムの位置に応じて、前記中間コンテンツ情報に変更されるように、前記メディアコンテンツアイテムを修正するようにさらに構成される、請求項９に記載の装置。
【請求項１１】
前記コンテンツアイテムは、アーチスト、ジャンル、カバーアート、前記コンテンツアイテムに関連する情報へのリンク、お勧めコンテンツへのリンクのうちの少なくとも１つを示す情報を含む、請求項９または１０に記載の装置。
【請求項１２】
前記プロセッサは、前記メディアコンテンツ画面の外観を、該メディアコンテンツ画面が提示されるディスプレイのサイズに適合させるようにさらに構成される、請求項９から１１のいずれかに記載の装置。
【請求項１３】
前記詳細なコンテンツ情報は、前記メディアコンテンツアイテムを購入するためのオプションを少なくとも含む情報である、請求項９から１２のいずれかに記載の装置。
【請求項１４】
前記限定されたコンテンツ情報は、前記メディアコンテンツアイテムの内容を表す情報であり、前記中間コンテンツ情報は、前記メディアコンテンツアイテムの内容を表す情報を、前記限定されたコンテンツ情報より多く含む情報である、請求項１３に記載の装置。
【請求項１５】
メディアコンテンツアイテムの選択を生じさせうるように構成される入力装置と、前記メディアコンテンツアイテムを１つ以上のメディアコンテンツ画面に表示しうるように構成されるディスプレイと、前記入力装置およびディスプレイに接続されるプロセッサとを含む通信機器を備えるシステムであって、前記プロセッサが、
メディアコンテンツ画面に対応するタブを、前記ディスプレイ上に提示し、
前記タブの選択に応じて、１つ以上のメディアコンテンツアイテムをメディアコンテンツ画面に提示し、前記１つ以上のメディアコンテンツアイテムは、スクロール可能な行および列に提示され、前記行および列のうちの少なくとも１つは、個々にスクロール可能であるか、または一体的にスクロール可能であり、
前記メディアコンテンツアイテムのうちのいくつかに、限定されたコンテンツ情報を含め、他のメディアコンテンツアイテムに中間コンテンツ情報を含め、
前記中間コンテンツ情報を有する前記メディアコンテンツアイテムの選択に応じて、該中間コンテンツ情報を詳細なコンテンツ情報に変更する、
ように構成される、システム。
【請求項１６】
コンテンツアイテム情報を前記通信機器に提供するための、前記通信機器と通信する遠隔サーバをさらに備え、前記コンテンツアイテム情報は、アルバムのカバーアート、アーチスト情報、アルバム／曲情報、および購入情報のうちの１つ以上を含む、請求項１５に記載のシステム。
【請求項１７】
前記通信機器および前記遠隔サーバのうちの１つ以上は、ユーザの購入／閲覧履歴を記録し、かつ前記ユーザの購入／閲覧履歴に基づいて、広告または試聴／購入オプションを提示しうるように構成される、請求項１５または１６に記載のシステム。
【請求項１８】
前記通信機器および前記遠隔サーバのうちの１つ以上は、ユーザが前記メディアコンテンツ画面に戻る場合に、記録された配置に従って前記メディアコンテンツアイテムが提示されるように、メディアコンテンツ画面におけるメディアコンテンツアイテムの配置を記録しうるように構成される。請求項１５から１７のいずれかに記載のシステム。
【請求項１９】
メディアコンテンツアイテムの選択を生じさせうるように構成される入力装置と、
前記メディアコンテンツアイテムを１つ以上のメディアコンテンツ画面に表示しうるように構成されるディスプレイと、
前記入力装置およびディスプレイに接続されるプロセッサと、
を備えるユーザインターフェース装置であって、
前記プロセッサは、
メディアコンテンツ画面に対応するタブを、前記ディスプレイ上に提示し、
前記タブの選択に応じて、１つ以上のメディアコンテンツアイテムを前記メディアコンテンツ画面に提示し、前記１つ以上のメディアコンテンツアイテムは、スクロール可能な行および列に提示され、前記行および列のうちの少なくとも１つは、個々にスクロール可能であるか、または一体的にスクロール可能であり、
前記メディアコンテンツアイテムのうちのいくつかに、限定されたコンテンツ情報を含め、他のメディアコンテンツアイテムに中間コンテンツ情報を含め、
前記中間コンテンツ情報を有する前記メディアコンテンツアイテムの選択に応じて、該中間コンテンツ情報を詳細なコンテンツ情報に変更する、
ように構成される、
ユーザインターフェース装置。
【請求項２０】
前記プロセッサは、前記限定されたコンテンツ情報が、前記コンテンツアイテムの位置に応じて、前記中間コンテンツ情報に変更されるように、前記メディアコンテンツアイテムを修正するようにさらに構成される、請求項１９に記載のユーザインターフェース装置。
【請求項２１】
前記コンテンツアイテムは、アーチスト、ジャンル、カバーアート、前記コンテンツアイテムに関連する情報へのリンク、お勧めコンテンツへのリンクのうちの少なくとも１つを示す情報を含む、請求項１９または２０に記載のユーザインターフェース装置。
【請求項２２】
前記プロセッサは、前記メディアコンテンツ画面の外観を、該メディアコンテンツ画面が提示されるディスプレイのサイズに適合させるようにさらに構成される、請求項１９から２１のいずれかに記載のユーザインターフェース装置。
【請求項２３】
前記詳細なコンテンツ情報は、前記メディアコンテンツアイテムを購入するためのオプションを少なくとも含む情報である、請求項１９から２２のいずれかに記載のユーザインターフェース装置。
【国際調査報告】
2011504620.tif 000016
2011504620.tif 000017